(57)【要約】【課題】  Ａ０やＡ１などの広幅の記録媒体を扱う画像形成装置における、長尺の記録媒体搬送用ローラの振れや撓みを、簡単な構成で効果的に防止できる機構を備えた画像形成装置を提供することが課題である。【解決手段】  記録媒体搬送用ローラ対を、駆動力が伝達されて回転する駆動ローラ１０と、該駆動ローラに接して連れ回る従動ローラ１１とで構成し、従動ローラ１１を、従動ローラ１１または従動ローラ軸１４を挟み、前記駆動ローラ１０とのニップ方向に押さえつける複数のコロ１２で駆動ローラ１０側に押圧するようにした。【選択図】  図１
2006124081.tif 000002
【特許請求の範囲】
【請求項１】
電子写真方式で感光体上に形成されたトナー画像を転写する記録媒体を挟持し、搬送する、記録媒体搬送用ローラ対を備えた画像形成装置であって、
前記記録媒体搬送用ローラ対は、駆動力が伝達されて回転する駆動ローラと、該駆動ローラに接して連れ回る従動ローラとで構成され、該従動ローラは、該従動ローラまたは従動ローラ軸を挟み、前記駆動ローラとのニップ方向に押さえつける複数のコロで駆動ローラ側に押圧されていることを特徴とする画像形成装置。
【請求項２】
前記コロは、前記従動ローラ軸方向の略中央近傍に設けられていることを特徴とする請求項１に記載した画像形成装置。
【請求項３】
前記コロは、前記駆動ローラと従動ローラの軸芯を結ぶ線を挟んで記録媒体進行方向両側に設けられ、スプリング、若しくは板バネで前記従動ローラ側に押圧されていることを特徴とする請求項１または２に記載した画像形成装置。
【請求項４】
前記コロは略コの字状の軸受に保持され、該軸受は、画像形成装置本体側に設けられて、前記軸受を従動ローラ側に押圧するコイルバネを有した案内軸に挿通されて、画像形成装置本体側に設けられたガイド間を移動できるよう構成されていることを特徴とする請求項１乃至３のいずれかに記載した画像形成装置。
【請求項５】
前記コロは、画像形成装置本体側で前記駆動ローラと従動ローラの軸芯を結ぶ線上に設けられた回動軸を軸とし、前記軸芯を結ぶ線の記録媒体進行方向両側に設けられて、保持したコロが互いに従動ローラ側に押圧されるようスプリングで結ばれた軸受に保持されていることを特徴とする請求項１乃至３のいずれかに記載した画像形成装置。
【請求項６】
前記コロは、画像形成装置本体側で前記駆動ローラと従動ローラの軸芯を結ぶ線を挟んで記録媒体進行方向両側に設けられて、保持したコロが互いに従動ローラ側に押圧されるよう板バネで保持された軸受に設けられていることを特徴とする請求項１乃至３のいずれかに記載した画像形成装置。
【発明の詳細な説明】
【技術分野】
【０００１】
本発明は、電子写真方式を利用した複写機、プリンタなどの画像形成装置に係り、特に、Ａ０やＡ１などの広幅の記録媒体を扱う画像形成装置における、記録媒体搬送用ローラの振れや撓みに対処できるよう構成した画像形成装置に関するものである。
【背景技術】
【０００２】
電子写真方式を利用した複写機、プリンタなどの画像形成装置では、形成したトナー画像を転写する記録媒体を搬送するため、随所に記録媒体搬送用のローラが用いられている。例えば図４は、画像形成装置の一例としての複写機４０の概略構成断面であり、図中４１は感光体で、その周囲には帯電器４２や露光装置４３が設けられ、帯電器４２で感光体４１を均一に帯電した後、スキャナ４４によって読み取った原稿の画像データを露光装置４３に送って露光を行ない、感光体４１上に潜像を形成して現像装置４５で現像し、トナー画像とする。そして、そのトナー画像を記録媒体に転写するため、トナー画像が転写装置４６のある転写位置に至るタイミングに合わせ、ロール状記録媒体４７から繰り出された記録媒体を、記録媒体搬送用ローラ４８１、４８２、レジストローラ４９などを用いて搬送路５０から送り出し、さらに形成されたトナー画像が転写された記録媒体は、定着装置５１で定着した後、排出ローラ５２を用いて排出部５３に排出する。
【０００３】
このように画像形成装置（複写機４０）では、記録媒体を搬送するため、記録媒体搬送用ローラ４８１、４８２、レジストローラ４９、排出ローラ５２のように随所に記録媒体搬送用のローラ対が用いられており、従来では、この記録媒体搬送用ローラ対として図５に示したように、軸に駆動力が伝えられる駆動ローラ１０と、複数のローラ１１ａ、１１ｂ、１１ｃが設けられてスプリング１３で軸１４が駆動ローラ１０側に押しつけられている従動ローラ１１とで構成され、従動ローラ１１が駆動ローラ１０の回転で連れ回るようにしているものが多い。
【０００４】
しかしながら、画像形成装置がＡ０やＡ１などの広幅の記録媒体を扱う大型の画像形成装置の場合、こういった記録媒体搬送用ローラ対は長尺となり、例えスプリング１３によって軸１４を駆動ローラ１０側に押しつけても、従動ローラ１１の中央部が撓んだり振れが生じ、ニップ圧が小さくなって幅の狭い記録媒体では斜め給紙や転写不良などが生じることがあった。
【０００５】
すなわち、駆動ローラ１０と従動ローラ１１とは、図５（Ｃ）に示したようにその軸芯を結ぶ線１６上にニップが存在するよう設計されているはずであるが、記録媒体搬送用ローラが長尺となった場合、その撓みによって図５（Ｂ）や図５（Ｄ）に示したように、ローラ１１ｂが左右に振れたり押圧力が不足し、ニップ位置が従動ローラ１１の両端側と中央部とで異なってしまって幅の狭い記録媒体を中央部に通した場合、記録媒体が斜行したり転写不良を起こす原因となっていた。そのため、従動ローラ１１の軸１４として太い軸を用いることも考えられたが、太い軸を用いるとそれだけ画像形成装置が高価になる。
【０００６】
こういった記録媒体搬送用ローラの振れを防止する技術については、例えば特許文献１に、記録紙を排紙する記録紙排紙ローラに沿い、ローラの振れを防止する補強用部材をスタッカ部の中央に取り付けた画像形成装置が示されている。
【０００７】
【特許文献１】特許第３５０１９００号公報
【発明の開示】
【発明が解決しようとする課題】
【０００８】
しかしながらこの特許文献１に示された画像形成装置では、スタッカ部の中央に取り付けた補強用部材でローラ軸を回転可能に支持しているため、補強用部材とローラ軸の摺動摩擦や摩擦音が問題になるから、グリスを用いて摺動摩擦を低減したり摺動性の良い材料を用いるなどの配慮が必要であり、また、ローラに偏心などがあった場合は軸を保持しているだけであるから対応ができない。
【０００９】
そのため本発明においては、Ａ０やＡ１などの広幅の記録媒体を扱う画像形成装置における、長尺の記録媒体搬送用ローラの振れや撓みを、簡単な構成で効果的に防止できる機構を備えた画像形成装置を提供することが課題である。
【課題を解決するための手段】
【００１０】
上記課題を解決するため本発明の画像形成装置は、
電子写真方式で感光体上に形成されたトナー画像を転写する記録媒体を挟持し、搬送する、記録媒体搬送用ローラ対を備えた画像形成装置であって、
前記記録媒体搬送用ローラ対は、駆動力が伝達されて回転する駆動ローラと、該駆動ローラに接して連れ回る従動ローラとで構成され、該従動ローラは、該従動ローラまたは従動ローラ軸を挟み、前記駆動ローラとのニップ方向に押さえつける複数のコロで駆動ローラ側に押圧されていることを特徴とする。
【００１１】
このように、従動ローラまたは従動ローラ軸を挟み、従動ローラを駆動ローラとのニップ方向に押しつける複数のコロ、という簡単な構成を設けることで、従動ローラは駆動ローラとのニップ方向に押しつけられると共に、従来技術のように摺動摩擦や摺動音が問題となることもなく、従動ローラが振れたり撓もうとしてもコロで挟まれているため振れたり撓んだりすることができない。従って、例え幅の狭い記録媒体を記録媒体搬送用ローラ中央付近に通しても、斜行したり転写不良を起こすことがなく、さらに撓みなどを考慮して太い軸を用いるなどのことも必要のない画像形成装置を提供することができる。
【００１２】
そして前記コロは、前記従動ローラ軸方向の略中央近傍で、かつ、前記駆動ローラと従動ローラの軸芯を結ぶ線を挟んで記録媒体進行方向両側に設けられ、スプリング、若しくは板バネで前記従動ローラ側に押圧することにより、より効果的に従動ローラの振れや撓みを防止することができる。
【００１３】
さらに、前記コロは略コの字状の軸受に保持され、該軸受は、画像形成装置本体側に設けられて、前記軸受を従動ローラ側に押圧するコイルバネを有した案内軸に挿通されて、画像形成装置本体側に設けられたガイド間を移動できるよう構成することが、本発明の好適な実施例である。
【００１４】
また、前記コロは、画像形成装置本体側で前記駆動ローラと従動ローラの軸芯を結ぶ線上に設けられた回動軸を軸とし、前記軸芯を結ぶ線の記録媒体進行方向両側に設けられて、保持したコロが互いに従動ローラ側に押圧されるようスプリングで結ばれた軸受に保持することにより、スプリングは２つの軸受を互いに近寄る方向に引くことになり、その力の拮抗したところで従動ローラをニップ方向に押圧するから、従動ローラの軸芯が駆動ローラと従動ローラの軸芯を結ぶ線上に乗ることになり、従動ローラの振れや撓みはより正確に防止できるようになる。
【００１５】
そして、前記コロは、画像形成装置本体側で前記駆動ローラと従動ローラの軸芯を結ぶ線を挟んで記録媒体進行方向両側に設けられて、保持したコロが互いに従動ローラ側に押圧されるよう板バネで保持された軸受に設けることも、本発明の好適な実施例である。
【発明の効果】
【００１６】
以上記載のごとく本発明によれば、長尺の記録媒体搬送用ローラを有する画像形成装置における記録媒体搬送用ローラの振れや撓みを、簡単な構成で効果的に防止でき、Ａ０やＡ１という広幅の記録媒体から狭幅の記録媒体までを安定して送ることのできる記録媒体搬送用ローラを備えた画像形成装置を提供することができる。
【発明を実施するための最良の形態】
【００１７】
以下、図面を参照して本発明の好適な実施例を例示的に詳しく説明する。但しこの実施例に記載されている構成部品の寸法、材質、形状、その相対的配置等は特に特定的な記載がない限りは、この発明の範囲をそれに限定する趣旨ではなく、単なる説明例に過ぎない。
【００１８】
図１は本発明になる記録媒体搬送用ローラ対の実施例１に係わる全体構成（Ａ）と、従動ローラを駆動ローラ側に押圧する構成の部分の拡大図（Ｂ）、及び側面図（Ｃ）であり、図２は記録媒体搬送用ローラ対の実施例２に係わる従動ローラを駆動ローラ側に押圧する構成の部分の拡大図（Ａ）と側面図（Ｂ）、図３は従動ローラを直接駆動ローラ側に押圧するのではなく、従動ローラ軸を駆動ローラ側に押圧する場合の実施例側面図である。図中同一構成要素には同一番号を付し、前記図５に示した従来装置と同様な構成要素には同一番号を用いて示してある。
【実施例１】
【００１９】
図１は本発明になる記録媒体搬送用ローラ対の実施例１に係わる全体構成（Ａ）と、従動ローラを駆動ローラ側に押圧する構成の部分の拡大図（Ｂ）、及び側面図（Ｃ）である。本発明における記録媒体搬送用ローラ対は、前記図５に示した従来の記録媒体搬送用ローラ対と同様、その軸に駆動力が伝えられる駆動ローラ１０と、例えば複数のローラ１１ａ、１１ｂ、１１ｃが軸１４に挿通され、スプリング１３によって軸１４が駆動ローラ１０側に押しつけられている従動ローラ１１とで構成され、従動ローラ１１が駆動ローラ１０の回転で連れ回るようになっている。
【００２０】
そして本発明においては、図１（Ａ）、（Ｂ）に示したように従動ローラ１１の略中央部に、この従動ローラ１１ｂを図１（Ｃ）に示したように挟んで駆動ローラ１０とのニップ方向に押さえつけるコロ１２を、駆動ローラ１０と従動ローラ１１との軸芯を結ぶ線１６の記録媒体進行方向両側に設け、従動ローラ１１を駆動ローラ側に押圧するようにしたものである。
【００２１】
このうちコロ１２は、従動ローラ１１と接するコロ１２ｂと、そのコロ１２ｂを軸１２ｃで保持している略コの字状の軸受１２ｆとで構成され、さらにこの軸受１２ｆは、画像形成装置本体側であるコロ１２の取り付け部１５に植立された案内軸１２ｄに挿通され、この案内軸１２ｄに設けられたコイルバネ１２ｅによって従動ローラ１１側に押圧されている。そしてさらにこの軸受１２ｆは、画像形成装置本体から従動ローラ１１側に向かって設けられた２枚の平板上のガイド１２ａにより、ガイドされながら従動ローラ１１方向に移動できるようになっている。
【００２２】
そのためコロ１２ｂは、従動ローラ１１を駆動ローラ１０と従動ローラ１１との軸芯を結ぶ線１６の両側から挟み、両側からコイルバネ１２ｅによって駆動ローラ１０と従動ローラ１１のニップ方向に押圧することになり、従動ローラ１１が前記したように軸芯を結ぶ線１６の両側に振れたり撓んだりしようとしても、コロ１２ｂで押さえられてそれが防止される。従って、例え幅の狭い記録媒体を記録媒体搬送用ローラ中央付近に通しても、斜行したり転写不良を起こすことのない画像形成装置を提供することができる。
【実施例２】
【００２３】
図２は、記録媒体搬送用ローラ対の実施例２に係わる従動ローラ１１を駆動ローラ１０側に押圧する構成の部分の拡大図（Ａ）と側面図（Ｂ）である。図１に示した実施例１では、従動ローラ１１における軸芯を結ぶ線１６の両側に設けたコロ１２は、画像形成装置本体に植立された案内軸１２ｄに設けられたコイルバネ１２ｅで、それぞれ別個に従動ローラ１１側に押圧されていた。
【００２４】
それに対してこの実施例２におけるコロ２０は、画像形成装置本体側に駆動ローラ１０と従動ローラ１１の軸芯を結ぶ線１６上に設けられた回動軸２０ｄを軸とし、この軸芯を結ぶ線１６の記録媒体進行方向両側に設けられ、略コの字状に構成して軸２０ｃでコロ２０ｂを保持し、互いに従動ローラ１１を挟んで押圧するよう、スプリング２０ｅで結ばれた軸受２０ａで保持している。
【００２５】
そのためコロ２０ｂは、従動ローラ１１を駆動ローラ１０と従動ローラ１１との軸芯を結ぶ線１６の両側から挟み、スプリング２０ｅが２つの軸受２０ａを互いに近寄る方向に引くことによって駆動ローラ１０と従動ローラ１１のニップ方向に従動ローラ１１を押圧することになり、従動ローラ１１が前記したように軸芯を結ぶ線１６の両側に振れたり撓んだりしようとしても、コロ１２ｂで押さえられてそれが防止される。従って、例え幅の狭い記録媒体を記録媒体搬送用ローラ中央付近に通しても、斜行したり転写不良を起こすことのない画像形成装置を、前記図１に示した実施例１の場合より少ない部品点数で提供することができる。
【００２６】
また、２つの軸受２０ａは、スプリング２０ｅが２つの軸受２０ａを互いに近寄る方向に引くことになり、その力の拮抗したところで従動ローラをニップ方向に押圧するから、従動ローラ１１は正確に軸芯が駆動ローラ１０と従動ローラ１１の軸芯を結ぶ線上に乗ることになり、従動ローラ１１の振れや撓みはより正確に防止できるようになる。
【実施例３】
【００２７】
図３は、従動ローラ１１を直接駆動ローラ１０側に押圧するのではなく、従動ローラ１１の軸１４を駆動ローラ１０側に押圧する場合の実施例側面図である。前記図１、図２に示した実施例では、コロ１２と２０は従動ローラ１１の一部を直接押圧するよう設けられていたが、例えば従動ローラ１１がスポンジなどの弾性部材で構成されている場合、画像形成装置が長期間使用されずにコロ１２や２０が従動ローラ１１の同一場所に当接していると、当然その部分が変形し、記録媒体が正確に搬送できなくなる可能性がある。そのためこの図３に示した実施例では、従動ローラ１１の軸１４にコロを当接させ、駆動ローラ１０側に押圧するようにしたものである。
【００２８】
図３における（Ａ）は、前記図１に示した実施例１におけるコロ３０の構成で従動ローラ１１の軸１４を駆動ローラ１０側に押圧するもので、コロ３０は、従動ローラ１１と接するコロ３０ｂと、そのコロ３０ｂを軸３０ｃで保持している略コの字状の軸受３０ｆとで構成され、さらにこの軸受３０ｆは、画像形成装置本体側であるコロ３０の取り付け部に植立された案内軸３０ｄに挿通され、この案内軸３０ｄに設けられたコイルバネ３０ｅによって従動ローラ１１側に押圧されている。そしてさらにこの軸受３０ｆは、画像形成装置本体から従動ローラ１１側に向かって設けられた２枚の平板上のガイド３０ａにより、ガイドされながら従動ローラ１１方向に移動できるようになっている。
【００２９】
そのためコロ３０ｂは、従動ローラ１１を駆動ローラ１０と従動ローラ１１との軸芯を結ぶ線１６の両側から挟み、両側からコイルバネ３０ｅによって駆動ローラ１０と従動ローラ１１のニップ方向に押圧されることになり、従動ローラ１１が前記したように軸芯を結ぶ線１６の両側に振れたり撓んだりしようとしても、コロ３０ｂで押さえられてそれが防止される。従って、例え幅の狭い記録媒体を記録媒体搬送用ローラ中央付近に通しても、斜行したり転写不良を起こすことのない画像形成装置を提供することができる。
【００３０】
図３（Ｂ）は、前記図２に示した実施例２におけるコロ３１の構成で従動ローラ１１の軸１４を駆動ローラ１０側に押圧するもので、コロ３１は、画像形成装置本体側に駆動ローラ１０と従動ローラ１１の軸芯を結ぶ線１６上に設けられた回動軸３１ｄを軸とし、軸芯を結ぶ線１６の記録媒体進行方向両側に設けられ、略コの字状に構成した部位に設けた軸３１ｃでコロ３１ｂを保持し、互いに従動ローラ１１を挟んで押圧するよう、スプリング３１ｅで結ばれた軸受３１ａで保持している。
【００３１】
そのためコロ３１ｂは、従動ローラ１１を駆動ローラ１０と従動ローラ１１との軸芯を結ぶ線１６の両側から挟み、スプリング３１ｅが２つの軸受３１ａを互いに近寄る方向に引くことによって駆動ローラ１０と従動ローラ１１のニップ方向に従動ローラ１１を押圧することになり、従動ローラ１１が前記したように軸芯を結ぶ線１６の両側に振れたり撓んだりしようとしても、コロ３１ｂで押さえられてそれが防止される。従って、例え幅の狭い記録媒体を記録媒体搬送用ローラ中央付近に通しても、斜行したり転写不良を起こすことのない画像形成装置を提供することができる。
【００３２】
また、２つの軸受３１ａは、スプリング３１ｅが２つの軸受３１ａを互いに近寄る方向に引くことになり、その力の拮抗したところで従動ローラをニップ方向に押圧するから、従動ローラ１１は正確に軸芯が駆動ローラ１０と従動ローラ１１の軸芯を結ぶ線上に乗ることになり、従動ローラ１１の振れや撓みはより正確に防止できるようになる。
【００３３】
図３（Ｃ）は、前記図１に示した実施例１における画像形成装置本体側に設けられた２枚の平板上のガイド１２ａ、案内軸１２ｄ、コイルバネ１２ｅ等の代わりに、板バネ３２ｅを用いてコロ３２により従動ローラ１１の軸１４を駆動ローラ１０側に押圧するもので、コロ３２は、従動ローラ１１と接するコロ３２ｂと、そのコロ３２ｂを軸３２ｃで保持している略コの字状の軸受３２ａとで構成され、さらにこの軸受３２ａは、画像形成装置本体側に設けられた板バネ３２ｅによって従動ローラ１１側に押圧するようにしたものである。
【００３４】
そのためコロ３２ｂは、従動ローラ１１を駆動ローラ１０と従動ローラ１１との軸芯を結ぶ線１６の両側から挟み、板バネ３２ｅによって従動ローラ１１を駆動ローラ１０と従動ローラ１１のニップ方向に押圧することになり、従動ローラ１１が前記したように軸芯を結ぶ線１６の両側に振れたり撓んだりしようとしても、コロ３２ｂで押さえられてそれが防止される。従って、例え幅の狭い記録媒体を記録媒体搬送用ローラ中央付近に通しても、斜行したり転写不良を起こすことのない画像形成装置を提供することができる。
【００３５】
なお、以上の説明では従動ローラ１１は、互いに分割されたローラ１１ａ、１１ｂ、１１ｃで構成した場合を例に説明してきたが、これはこのような形態だけに限定されるものではなく、例えば従動ローラ１１の両端部の間を連続したローラとしたり、もっと多くの数に分割したりしても良いことは自明である。
【００３６】
以上種々述べてきたように本発明によれば、従動ローラ１１または従動ローラ軸１４を挟み、従動ローラ１１を駆動ローラ１０とのニップ方向に押しつける複数のコロ（１２、２０、３０、３１、３２）、という簡単な構成を設けることで、従動ローラ１１は駆動ローラ１０とのニップ方向に押しつけられると共に、従来技術のように摺動摩擦や摺動音が問題となることもなく、従動ローラ１１が振れたり撓もうとしてもコロで挟まれているため振れたり撓んだりすることができない。従って、例え幅の狭い記録媒体を記録媒体搬送用ローラ中央付近に通しても、斜行したり転写不良を起こすことがなく、さらに撓みなどを考慮して太い軸を用いるなどのことも必要のない画像形成装置を提供することができる。
【００３７】
そして前記コロは、従動ローラ１１の軸方向の略中央近傍で、かつ、前記駆動ローラ１０と従動ローラ１１の軸芯を結ぶ線１６を挟んで記録媒体進行方向両側に設け、スプリング、若しくは板バネで前記従動ローラ側に押圧することにより、より効果的に従動ローラの振れや撓みを防止することができる。
【００３８】
またコロを、画像形成装置本体側で前記駆動ローラと従動ローラの軸芯を結ぶ線上に設けられた回動軸２０ｄを軸とし、前記軸芯を結ぶ線１６の記録媒体進行方向両側に設けられて、保持したコロが互いに従動ローラ１１側に押圧されるようスプリング２０ｅで結ばれた軸受２０ａに保持することにより、スプリング２０ｅは２つの軸受２０ａを互いに近寄る方向に引くことになり、その力の拮抗したところで従動ローラ１１をニップ方向に押圧するから、従動ローラ１１の軸芯が駆動ローラ１０と従動ローラ１１の軸芯を結ぶ線１６上に乗ることになり、従動ローラ１１の振れや撓みはより正確に防止できるようになる。
【産業上の利用可能性】
【００３９】
本発明によれば、長尺の記録媒体搬送用ローラを有する画像形成装置における、記録媒体搬送用ローラの振れや撓みを、簡単な構成で効果的に防止でき、Ａ０やＡ１という広幅の記録媒体から狭幅の記録媒体までを安定して送ることができる記録媒体搬送用ローラを備えた画像形成装置を提供することができる。
【図面の簡単な説明】
【００４０】
【図１】本発明になる記録媒体搬送用ローラ対の実施例１に係わる全体構成（Ａ）と、従動ローラを駆動ローラ側に押圧する構成の拡大図（Ｂ）、及び側面図（Ｃ）である。
【図２】記録媒体搬送用ローラ対の実施例２に係わる従動ローラを駆動ローラ側に押圧する部分の拡大図（Ａ）と側面図（Ｂ）である。
【図３】従動ローラを直接駆動ローラ側に押圧するのではなく、従動ローラ軸を駆動ローラ側に押圧する場合の実施例側面図である。
【図４】広幅の記録媒体を扱う画像形成装置における概略構成断面の一例である。
【図５】従来の画像形成装置における記録媒体搬送用ローラの一例斜視図（Ａ）と、従動ローラが正常な位置にあるときの状態（Ｃ）と撓みによって振れた状態（Ｂ）、（Ｄ）を示した図である。
【符号の説明】
【００４１】
１０  駆動ローラ
１１  従動ローラ
１１ａ、１１ｂ、１１ｃ  ローラ
１２  コロ
１２ａ  ガイド
１２ｂ  コロ
１２ｃ  軸
１２ｄ  案内軸
１２ｅ  コイルバネ
１２ｆ  軸受
１３  スプリング
１４  従動ローラ軸
１５  コロの取り付け部
１６  軸芯を結ぶ線
【図１】
2006124081.tif 000003
【図２】
2006124081.tif 000004
【図３】
2006124081.tif 000005
【図４】
2006124081.tif 000006
【図５】
2006124081.tif 000007